(57)【要約】【課題】紙葉類の表裏及び天地方向の向きを揃えた上で、紙葉類を帯封することができる紙葉類処理装置を提供する。【解決手段】紙葉類処理装置（紙幣処理装置１）は、筐体１０と、識別部１８と、集積部（第１〜第５集積部５１〜５５）と、紙葉類を帯封する帯封部７と、外部集積部（第１外部集積部１１及び第２外部集積部１２）と、紙葉類の表裏及び天地方向の向きの両方を揃える反転部と、を備える。反転部は、紙葉類の搬送方向に直交する搬送幅方向の向きを変えずに表裏を反転する第１反転部２１と、紙葉類の搬送幅方向の向きを反転する第２反転部２２と、を有する。集積部は、第１反転部及び第２反転部の両方を通過した紙葉類が集積し、外部集積部は、第１反転部及び第２反転部のいずれか一方のみを通過した紙葉類、又は、第１反転部及び第２反転部のいずれも通過しない紙葉類が集積する。【選択図】図１
2018190344.tif 000002
【特許請求の範囲】
【請求項１】
筐体と、
前記筐体内に設けた紙葉類の搬送路に設けられかつ、前記紙葉類の識別を行う識別部と、
前記紙葉類の搬送方向について前記識別部よりも下流に設けられかつ、前記識別部が識別を行った前記紙葉類を集積する集積部と、
前記集積部に集積した前記紙葉類を帯封する帯封部と、
前記識別部の識別結果に基づいて、前記集積部に集積しない前記紙葉類を集積すると共に、集積した前記紙葉類を取り出すための取出口が設けられた外部集積部と、
前記識別部の識別結果に応じて、前記紙葉類の表裏及び天地方向の向きを反転することによって、前記紙葉類の表裏及び天地方向の向きの両方を揃える反転部と、を備え、
前記反転部は、前記紙葉類の搬送方向に直交する搬送幅方向の向きを変えずに表裏を反転する第１反転部と、前記紙葉類の前記搬送幅方向の向きを反転する第２反転部と、を有し、
前記集積部は、前記第１反転部及び前記第２反転部の両方を通過した前記紙葉類が集積し、
前記外部集積部は、前記第１反転部及び前記第２反転部のいずれか一方のみを通過した前記紙葉類、又は、前記第１反転部及び前記第２反転部のいずれも通過しない前記紙葉類が集積する紙葉類処理装置。
【請求項２】
前記外部集積部につながる搬送路は、前記紙葉類の搬送方向について前記第１反転部と前記第２反転部との間から分岐している請求項１に記載の紙葉類処理装置。
【請求項３】
前記外部集積部につながる搬送路は、前記紙葉類の搬送方向について前記第１反転部及び前記第２反転部よりも上流から分岐している請求項１に記載の紙葉類処理装置。
【請求項４】
前記第２反転部は、前記筐体の前方に引き出し可能に構成されている請求項1〜３のいずれか１項に記載の紙葉類処理装置。
【請求項５】
前記第２反転部は、前記搬送路において、前記紙葉類を水平方向に搬送する箇所に設けられている請求項１〜４のいずれか１項に記載の紙葉類処理装置。
【請求項６】
前記識別部が、リジェクト対象であると識別した前記紙葉類を集積するリジェクト部を備え、
前記リジェクト部につながる搬送路は、前記紙葉類の搬送方向について前記第１反転部及び前記第２反転部よりも上流から分岐している請求項１〜５のいずれか1項に記載の紙葉類処理装置。
【発明の詳細な説明】
【技術分野】
【０００１】
ここに開示する技術は、紙葉類処理装置に関する。
【背景技術】
【０００２】
特許文献１には、紙幣を計数し、紙幣を所定枚数毎に結束して整理する紙幣整理機が記載されている。紙幣整理機は、紙幣の表裏を反転する表裏反転部を備えている。紙幣整理機は、紙幣の表裏を揃えた上で、所定枚数分の紙幣を、紙テープによって小束に施封する。
【先行技術文献】
【特許文献】
【０００３】
【特許文献１】特開２０１６−２２４８４５号公報
【発明の概要】
【発明が解決しようとする課題】
【０００４】
従来の、帯封紙葉類を作成する紙葉類処理装置は、紙葉類の表裏を揃えることができるが、紙葉類の天地方向（つまり、紙葉類の上下の方向であり、例えば紙幣であれば、肖像画を基準とした上下の方向である）の向きを揃えた上で、帯封することはできない。
【０００５】
ここに開示する技術はかかる点に鑑みてなされたものであり、その目的とするところは、紙葉類の表裏及び天地方向の向きを揃えた上で、紙葉類を帯封することができる紙葉類処理装置を提供することにある。
【課題を解決するための手段】
【０００６】
具体的に、ここに開示する技術は紙葉類処理装置に係る。この紙葉類処理装置は、筐体と、前記筐体内に設けた紙葉類の搬送路に設けられかつ、前記紙葉類の識別を行う識別部と、前記紙葉類の搬送方向について前記識別部よりも下流に設けられかつ、前記識別部が識別を行った前記紙葉類を集積する集積部と、前記集積部に集積した前記紙葉類を帯封する帯封部と、前記識別部の識別結果に基づいて、前記集積部に集積しない前記紙葉類を集積すると共に、集積した前記紙葉類を取り出すための取出口が設けられた外部集積部と、前記識別部の識別結果に応じて、前記紙葉類の表裏及び天地方向の向きを反転することによって、前記紙葉類の表裏及び天地方向の向きの両方を揃える反転部と、を備え、前記反転部は、前記紙葉類の搬送方向に  直交する搬送幅方向の向きを変えずに表裏を反転する第１反転部と、前記紙葉類の前記搬送幅方向の向きを反転する第２反転部と、を有している。
【０００７】
そして、前記集積部は、前記第１反転部及び前記第２反転部の両方を通過した前記紙葉類が集積し、前記外部集積部は、前記第１反転部及び前記第２反転部のいずれか一方のみを通過した前記紙葉類、又は、前記第１反転部及び前記第２反転部のいずれも通過しない前記紙葉類が集積する。
【０００８】
この構成によると、帯封対象の紙葉類を集積する集積部には、第１反転部及び第２反転部の両方を通過することによって、表裏及び天地方向の向きの両方が揃った紙葉類が集積する。
【０００９】
帯封対象外の紙葉類を集積する外部集積部は、第１反転部及び第２反転部のいずれか一方のみを通過した紙葉類か、又は、第１反転部及び第２反転部のいずれも通過しない紙葉類が集積する。帯封しない紙葉類は、表裏及び天地方向の向きの両方を揃えることはできない。一方で、紙葉類処理装置は、帯封しない紙葉類を、速やかに外部集積部に集積することができる。また、帯封しない紙葉類は、第１反転部及び第２反転部の少なくとも一方を通過しないため、紙葉類の詰まり等が発生するリスクを低減することができる。
【００１０】
前記外部集積部につながる搬送路は、前記紙葉類の搬送方向について前記第１反転部と前記第２反転部との間から分岐している、としてもよい。ここで、第１反転部と第２反転部とは、第１反転部を上流側に配置し、第２反転部を下流側に配置してもよいし、第１反転部を下流側に配置し、第２反転部を上流側に配置してもよい。
【００１１】
外部集積部につながる搬送路が、第１反転部と第２反転部との間から分岐しているため、外部集積部に集積される紙葉類は、第１反転部及び第２反転部のいずれか一方の反転部を通過しない。
【００１２】
前記外部集積部につながる搬送路は、前記紙葉類の搬送方向について前記第１反転部及び前記第２反転部よりも上流から分岐している、としてもよい。
【００１３】
この構成によって、外部集積部に集積される紙葉類は、第１反転部及び第２反転部のいずれも通過しない。
【００１４】
前記第２反転部は、前記筐体の前方に引き出し可能に構成されている、としてもよい。
【００１５】
第２反転部において紙葉類の詰まり等のエラーが発生したときに、第２反転部を、紙葉類処理装置の前方に引き出すことによって、操作者は、第２反転部から、詰まっている紙葉類を容易に取り出すことができる。紙葉類処理装置のメンテナンス性が向上する。
【００１６】
前記第２反転部は、前記搬送路において、前記紙葉類を水平方向に搬送する箇所に設けられている、としてもよい。
【００１７】
紙葉類の搬送幅方向の向きを反転する第２反転部は、構造が複雑になるため、長さ（つまり、紙葉類の搬送方向の長さ）が長くなる。第２反転部を、紙葉類を水平方向に搬送する箇所に設けることによって、紙葉類処理装置を、高さ方向に小型化することができる。また、紙葉類を水平方向に搬送する箇所に第２反転部を設けることと、第２反転部を筐体の前方に引き出し可能に構成することとが組み合わさると、筐体の前方に引き出す第２反転部が小型化する。
【００１８】
前記紙葉類処理装置は、前記識別部が、リジェクト対象であると識別した前記紙葉類を集積するリジェクト部を備え、前記リジェクト部につながる搬送路は、前記紙葉類の搬送方向について前記第１反転部及び前記第２反転部よりも上流から分岐している、としてもよい。
【００１９】
この構成によると、リジェクト対象の紙葉類は、第１反転部及び第２反転部を通過しない。リジェクト対象の紙葉類を、速やかにリジェクト部に搬送することができる。また、例えば斜行や重送等の搬送異常によってリジェクト対象と識別された紙葉類や、折れや破れ等を有していて状態が悪いためにリジェクト対象と識別された紙葉類が、第１反転部及び第２反転部を通過しないことによって、第１反転部及び第２反転部において紙葉類が詰まってしまうことを、未然に回避することができる。
【発明の効果】
【００２０】
以上説明したように、前記の紙葉類処理装置によると、紙葉類の表裏及び天地方向の向きを揃えた上で、紙葉類を帯封することができる。
【図面の簡単な説明】
【００２１】
【図１】図１は、紙幣処理装置の内部構成を例示する図である。
【図２】図２の左図は、第２反転部を筐体内に納めた状態を示す図、図２の右図は、第２反転部を前方に引き出した状態を示す図である。
【図３】図３は、紙幣の天地方向及び左右方向を説明するための図である。
【図４】図４は、紙幣処理装置の内部における紙幣の搬送経路を示す図１対応図である。
【図５】図５は、紙幣処理装置における分類パターンの一例を説明する図である。
【図６】図６は、紙幣処理装置が実行する分類処理のフローチャートである。
【図７】図７は、紙幣の表裏、及び、天地の揃えの要否を設定する画面を例示する図である。
【図８】図８は、図１とは異なる構成の、紙幣処理装置の内部構成を示す図である。
【図９】図９は、図８の紙幣処理装置が実行する分類処理のフローチャートである。
【図１０】図１０は、長手の縁を前にして搬送される紙幣の、反転方向を説明するための図である。
【図１１】図１１は、短手の縁を前にして搬送される紙幣の、反転方向を説明するための図である。
【発明を実施するための形態】
【００２２】
以下、紙葉類処理装置の実施形態を図面に基づいて詳細に説明する。以下の説明は、紙葉類処理装置の一例である。図１は、紙葉類処理装置としての紙幣処理装置１の内部の構成を示している。紙幣処理装置１は、紙幣を識別及び計数し、種類別に分類をした上で、所定枚数毎の帯封紙幣を作成する装置である。紙幣処理装置１は、紙幣整理機とも呼ばれる。尚、以下の説明においては、便宜上、図１における紙面左を前、紙面右を後と呼ぶ場合がある。
【００２３】
（紙幣処理装置の構成）
紙幣処理装置１には、帯封対象外の紙幣を集積する第１外部集積部１１及び第２外部集積部１２と、バラ紙幣が投入される投入部１３、リジェクト券を集積するリジェクト部１４、及び、帯封された紙幣を出金するための投出部１５がそれぞれ設けられている。
【００２４】
投入部１３は、筐体１０の前面の上部に設けられている。投入部１３の前面は筐体１０の外部に開口している。操作者は投入部１３の内部にバラ紙幣を投入することができる。投入部１３は、複数枚の紙幣を、集積した状態で保持することができる。投入部１３には、例えば、様々な金種を含む紙幣が投入される。投入部１３は、保持している紙幣を、繰り出しローラ１３１によって一枚一枚、筐体１０の内部へ繰り出す。
【００２５】
第１外部集積部１１及び第２外部集積部１２は、紙幣処理装置１の筐体１０の上部に、前後に並んで設けられている。第１外部集積部１１は、第２外部集積部１２よりも後側に配設されている。第１外部集積部１１及び第２外部集積部１２はそれぞれ、紙幣の取出口が筐体１０の外部に開口している。第１外部集積部１１及び第２外部集積部１２はそれぞれ、複数枚の紙幣を集積することができる。操作者は、第１外部集積部１１及び第２外部集積部１２に集積されている紙幣を、手で取り出すことができる。
【００２６】
リジェクト部１４は  筐体１０の上部において、第２外部集積部１２よりも前側に設けられている。リジェクト部１４は筐体１０の外部に開口している。リジェクト部１４は、複数枚の紙幣を集積することができる。操作者は、リジェクト部１４に集積されている紙幣を、手で取り出すことができる。
【００２７】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００２８】
紙幣処理装置１の上部には、表示部１７が設けられている。表示部１７は、タッチパネルからなる。表示部１７は、操作者が操作を行うための操作部を兼用する。表示部１７は、紙幣処理装置１が行っている紙幣の処理状況等の情報を表示する。操作者が表示部１７に表示されている画面に応じて操作を行うことにより、紙幣処理装置１に関する各種の設定を行ったり、紙幣処理装置１に各種の処理を実行させたりすることができる。
【００２９】
紙幣処理装置１は、筐体１０の内部に、識別部１８、第１反転部２１、第２反転部２２、搬送部３、第１〜第５集積部５１〜５５、運搬部６、帯封部７、制御部４１、及び記憶部４２を備えている。
【００３０】
搬送部３は、紙幣の搬送方向の順に、投入部１３から、識別部１８、リジェクト部１４、第２外部集積部１２、第１外部集積部１１、第１反転部２１、第２反転部２２、第１〜第５集積部５１〜５５までの間において、バラ紙幣の搬送を行う。搬送部３は、筐体１０の内部に配設された搬送路を有している。搬送路は、詳細な図示は省略するが、多数のローラ、複数のベルト、これらを駆動するモータ、搬送される紙幣を検出する通過センサ及び複数のガイドの組み合わせによって構成されている。搬送部３は、所定の間隔を設けて、紙幣を一枚一枚、搬送路に沿って搬送する。搬送部３はまた、図１０に示すように、紙幣ＢＮの長手の縁を前にして、紙幣ＢＮを搬送する。
【００３１】
識別部１８は、紙幣ＢＮの搬送方向について、投入部１３の下流に設けられている。識別部１８は、筐体１０の内部において、投入部１３の後側でかつ、第１外部集積部１１、第２外部集積部１２及びリジェクト部１４の下側に位置している。識別部１８は、搬送路に沿って搬送される紙幣ＢＮの金種、真偽、表裏、向き、正損、新旧、搬送状態等を識別する。
【００３２】
ここで、識別部１８が識別を行う紙幣ＢＮの方向について説明をする。紙幣ＢＮの方向は、紙幣ＢＮの表裏と向きとの組み合わせによって、Ａ方向、Ｂ方向、Ｃ方向及びＤ方向の四つの方向に定まる。紙幣ＢＮの天地方向は、図３に示すように、紙幣ＢＮに描かれた肖像画を基準とした上下の方向である。紙幣ＢＮの左右方向は、天地方向に直交する方向である。図１０に示すように、長手の縁を前にして搬送される紙幣ＢＮにおいて、天地方向は、搬送方向に一致する。左右方向は、搬送方向に直交する。尚、以下の説明において、搬送方向に直交する方向を、搬送幅方向と呼ぶ場合がある。
【００３３】
具体的に、Ａ方向は、紙幣ＢＮが表向きでかつ、搬送方向に対して紙幣ＢＮの天地方向が従う方向である。Ｂ方向は、紙幣ＢＮが表向きでかつ、搬送方向に対して紙幣ＢＮの天地方向が逆らう方向である。Ｃ方向は、紙幣ＢＮが裏向きでかつ、搬送方向に対して紙幣ＢＮの天地方向が逆らう方向である。Ｄ方向は、紙幣ＢＮが裏向きでかつ、搬送方向に対して紙幣ＢＮの天地方向が従う方向である。
【００３４】
リジェクト部１４につながる搬送路１４１は、紙幣ＢＮの搬送方向について識別部１８の下流から分岐している。図示は省略するが、分岐箇所には分岐爪が配設されている。制御部４１は、識別部１８の識別結果に従って、分岐爪を動かす。このことによって、リジェクト券と識別された紙幣ＢＮは、後述する第１反転部２１及び第２反転部２２を通らないで、リジェクト部１４に搬送される。
【００３５】
第１外部集積部１１につながる搬送路１１１及び第２外部集積部１２につながる搬送路１２１も、識別部１８の下流から分岐している。図示は省略するが、各分岐箇所には分岐爪が配設されている。制御部４１は、識別部１８の識別結果に従って、分岐爪を動かす。このことによって、帯封対象外と識別された紙幣ＢＮは、後述する第１反転部２１及び第２反転部２２を通らないで、第１外部集積部１１又は第２外部集積部１２に搬送される。
【００３６】
第１反転部２１は、識別部１８の識別結果に応じて、紙幣ＢＮの表裏及び天地方向の両方を、選択的に反転するよう構成されている。第１反転部２１は、紙幣ＢＮの表裏及び天地方向を反転させるスイッチバック方式の反転パス２１１と、紙幣ＢＮの表裏及び天地方向を反転することなく通過させるバイパス２１２と、紙幣ＢＮを、反転パス２１１又はバイパス２１２に選択的に送る分岐爪（図示省略）と、を有している。
【００３７】
反転パス２１１を通過した紙幣は、図１０に示す紙幣ＢＮの搬送方向に直交すると共に、紙幣ＢＮの紙面に沿った第１軸回りに回転することになる。第１反転部２１は、搬送幅方向の向きを変えずに、紙幣ＢＮの表裏と搬送方向の向き（つまり、天地方向の向き）との両方を反転することができる。
【００３８】
制御部４１は、識別部１８の識別結果に応じて第１反転部２１の分岐爪を動かす。このことによって、表裏及び天地方向の向きを反転する必要がある紙幣ＢＮは、反転パス２１１を通過し、表裏及び天地方向の向きを反転する必要がない紙幣ＢＮは、バイパス２１２を通過する。反転パス２１１を通過した紙幣ＢＮは、表裏及び天地方向の向きが反転する。バイパス２１２を通過した紙幣ＢＮは、表裏も天地方向の向きも反転しない。第１反転部２１を通過した紙幣ＢＮは、少なくとも表裏が揃っている。
【００３９】
第１反転部２１は、識別部１８の後側に配設されている。紙幣ＢＮは、第１反転部２１を、紙幣処理装置１の上方から下方に向かう略垂直方向に通過する。
【００４０】
第２反転部２２は、紙幣ＢＮの搬送幅方向の向きを、選択的に反転するよう構成されている。第２反転部２２は、紙幣ＢＮの搬送幅方向の向きを反転させる反転パス２２１と、紙幣ＢＮの搬送幅方向の向きを反転することなく通過させるバイパス２２２と、紙幣ＢＮを、反転パス２２１又はバイパス２２２に選択的に送る分岐爪（図示省略）と、を有している。反転パス２２１には、紙幣ＢＮを反転する反転機構２２４が配設されている。反転機構２２４は、この構成例では、紙幣ＢＮの搬送幅方向の向きと表裏との両方を反転するよう構成されている。つまり、図１０に示すように、反転機構２２４は、紙幣ＢＮの搬送方向に沿って伸びる第２軸回りに、紙幣ＢＮを回転させる方式に構成されている。反転機構２２４は、紙幣ＢＮの搬送方向に直交する搬送幅方向（つまり、紙幣ＢＮの左右方向）の向きと、紙幣ＢＮの表裏との両方を反転することができる。第２反転部２２は、スイッチバック方式の第１反転部２１とは機能が相違する。反転機構２２４の構成の詳細は省略するが、反転機構２２４は、様々な公知の構成を採用することができる。
【００４１】
制御部４１は、識別部１８の識別結果に応じて、第２反転部２２の分岐爪を動かす。このことによって、左右方向の向きを反転する必要がある紙幣ＢＮは、反転パス２２１を通過し、左右方向の向きを反転する必要がない紙幣ＢＮは、バイパス２２２を通過する。反転パス２２１を通過した紙幣は、紙幣ＢＮの左右方向の向き及び表裏が反転する。バイパス２２２を通過した紙幣は、紙幣ＢＮの左右方向の向きも、表裏も反転しない。反転機構２２４の下流において、反転パス２２１とバイパス２２２とは合流する。この紙幣処理装置１は、反転部として、第１反転部２１と第２反転部２２との二種類の反転部を備えることにより、第１反転部２１及び第２反転部２２を通過した紙幣ＢＮの表裏及び天地方向の向きの両方を揃えることができる。
【００４２】
第２反転部２２は、投入部１３及び識別部１８の下側に配設されている。紙幣ＢＮは、第２反転部２２を、紙幣処理装置１の後方から前方に向かう略水平方向に通過する。
【００４３】
第２反転部２２は、構造が複雑になるため、第１反転部２１と比較して、紙幣ＢＮの搬送方向の長さが長くなる。紙幣ＢＮが水平方向に搬送されるように第２反転部２２を設けることによって、紙幣処理装置１を高さ方向に小型化することができる。
【００４４】
第２反転部２２はまた、ユニット化している。第２反転部２２のユニットは、図２に示すように、紙幣処理装置１の前方に向かって引き出し可能に構成されている。操作者は、手で第２反転部２２のユニットを、筐体１０の前方に引き出すことができる。第２反転部２２において紙幣ＢＮの詰まり等が生じたときに、操作者は、第２反転部２２を前方に引き出して、詰まっている紙幣ＢＮを、第２反転部２２から容易に取り出すことができる。このときに、紙幣処理装置１は、表示部１７に、第２反転部２２のユニットの引き出しを操作者に指示する誘導画面を表示する。紙幣処理装置１のメンテナンス性が向上する。
【００４５】
第２反転部２２のユニットの引き出しに関し、紙幣処理装置１にロック機構を設けてもよい。第２反転部２２において紙幣ＢＮの詰まりが発生し、紙幣処理装置１を停止したときにロックを解除することによって、第２反転部２２のユニットを、引き出すことができるようにしてもよい。尚、ロック機構は、機械式のロック機構としてもよいし、ソレノイドを含む電気式のロック機構としてもよい。
【００４６】
前述したように、第２反転部２２において、紙幣ＢＮは水平方向に搬送されるよう構成されているため、前方に向かって引き出される第２反転部２２のユニットは、上下方向にコンパクトになる。第２反転部２２を前方に向かって引き出しやすくなると共に、詰まっている紙幣ＢＮも取り出しやすくなる。このこともまた、紙幣処理装置１のメンテナンス性の向上に有利になる。
【００４７】
第１〜第５集積部５１〜５５は、第２反転部２２の下側に配設されている。第１〜第５集積部５１〜５５は、上下方向に並んで配設されている。第１〜第５集積部５１〜５５は、帯封対象の紙幣ＢＮを、例えば金種毎に集積する。後述するように、操作者は、第１〜第５集積部５１〜５５に集積する紙幣の種類を、予め設定することができる。
【００４８】
第２反転部２２の下流において紙幣ＢＮを搬送する搬送路は、第１〜第５集積部５１〜５５の前側において、第１〜第５集積部５１〜５５に沿うように上下方向に伸びて配設されている。上下方向に伸びる搬送路から分岐した五つの分岐路が、第１〜第５集積部５１〜５５のそれぞれに接続されている。紙幣ＢＮは、第１〜第５集積部５１〜５５のそれぞれに対し、前側から投入される。投入された紙幣ＢＮは、第１〜第５集積部５１〜５５のそれぞれにおいて集積される。
【００４９】
図示は省略するが、各分岐路の分岐箇所には、紙幣ＢＮの搬送方向を切り替える分岐爪が設けられている。制御部４１は、識別部１８の識別結果に応じて、各分岐爪を動かす。このことによって、紙幣ＢＮは、第１〜第５集積部５１〜５５に、選択的に投入される。
【００５０】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動をする。アーム部６１は、第１〜第５集積部５１〜５５それぞれの高さ位置に位置づけられ、第１〜第５集積部５１〜５５に集積されている紙幣を、後方に向かって取り出す。そして、アーム部６１は、帯封部７へ移動し、掴んでいる紙幣を帯封部７へ受け渡す。
【００５１】
帯封部７は、第１〜第５集積部５１〜５５の下側に配設されている。帯封部７は、運搬部６の下端部に位置している。運搬部６は、第１〜第５集積部５１〜５５から取り出した紙幣ＢＮを、帯封部７に運搬する。帯封部７の構成の詳細な図示は省略するが、帯封部７は、公知の様々な構成を採用することができる。帯封部７は、例えば紙幣ＢＮの束の外周囲に帯封紙を巻き付けることによって帯封を行うようにしてもよい。帯封部７はまた、帯封紙によって形成した輪の中に紙幣ＢＮの束を挿入することによって帯封を行うようにしてもよい。
【００５２】
帯封部７は、帯封紙に情報を印す印字部７１を有している。印字部７１は、帯封紙に印刷を行う印刷部、及び、帯封紙にスタンプを押す押印部の両方、又は、いずれか一方を含んでいる。印字部７１は、帯封をする前、又は、帯封をした後に、帯封紙に情報を印す。印字部７１は、帯封を行った日時の情報や、帯封処理を行った操作者を特定する情報等を、帯封紙に印す。また、印字部７１は、例えば帯封紙幣を作成した金融機関名の情報、及び、帯封紙幣が損券である旨の情報を、帯封紙に印す。さらに詳細は後述するが、印字部７１は、制御部４１からの制御信号に基づいて、帯封した紙幣ＢＮの表裏及び天地方向の向きが揃っているか否かの情報を、帯封紙に印すように構成されている。
【００５３】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００５４】
後述するように紙幣処理装置１が分類処理を行った際、帯封枚数に至らずに第１〜第５集積部５１〜５５に紙幣ＢＮが残ってしまう場合がある。紙幣処理装置１は、筐体１０の前部に設けた扉１０１を開けると、第１〜第５集積部５１〜５５が、筐体１０の外に開放されるよう構成されている。第１〜第５集積部５１〜５５の前側において上下方向に伸びる搬送路は、扉１０１に設けられている。第１〜第５集積部５１〜５５に残った端数紙幣は、扉１０１を開けて、操作者が手で、第１〜第５集積部５１〜５５から直接、取り出す。
【００５５】
制御部４１は、図示は省略するが、第１外部集積部１１、第２外部集積部１２、投入部１３、リジェクト部１４、識別部１８、第１反転部２１、第２反転部２２、搬送部３、第１〜第５集積部５１〜５５、運搬部６、及び、帯封部７が、信号の授受可能に接続されている。記憶部４２には、各種の情報やプログラムが記憶されている。制御部４１は、前述した第１外部集積部１１、第２外部集積部１２、投入部１３、リジェクト部１４、識別部１８、第１反転部２１、第２反転部２２、搬送部３、第１〜第５集積部５１〜５５、運搬部６、及び、帯封部７に、記憶部４２が記憶している各種の情報やプログラムに基づいて制御信号を出力する。このことにより、紙幣処理装置１は、紙幣ＢＮを識別及び計数し、種類別に分類をした上で、所定枚数毎の帯封紙幣を作成する分類処理を行う。
【００５６】
（紙幣処理装置の分類処理）
図４は、紙幣処理装置１における紙幣ＢＮの搬送経路を示している。図５は、紙幣処理装置１が実行する分類処理における分類パターンの一例を示している。操作者は、表示部１７に表示される設定画面において操作を行うことにより、所望の分類パターンを設定することができる。
【００５７】
図５の分類パターンにおいて、帯封対象の紙幣は、一万円、五千円、千円、及び二千円の新券かつ正券である。第１集積部５１及び第２集積部５２は、一万円の新券かつ正券を集積する。第３集積部５３は、五千円の新券かつ正券を集積し、第４集積部５４は、千円の新券かつ正券を集積し、第５集積部５５は、二千円の正券を集積する。
【００５８】
ここで、「新券」とは、現時点で発行されているタイプの紙幣であり、「旧券」とは、現時点で発行されていない古いタイプの紙幣である。また、「正券」とは、破れや汚れが少なくて、市場に流通させても問題のない紙幣であり、「損券」とは、破れや汚れがあって、市場に流通させることが好ましくない紙幣である。
【００５９】
図５の分類パターンにおいて、帯封対象ではない紙幣は、損券や旧券等である。第１外部集積部１１又は第２外部集積部１２は、損券及び旧券等を集積する。第１外部集積部１１又は第２外部集積部１２は、全金種を集積する。
【００６０】
以下、図５の分類パターンに従った紙幣の搬送経路について、図４を参照しながら説明をする。
【００６１】
投入部１３は、投入された紙幣ＢＮを一枚ずつ繰り出す。搬送部３は、図４に実線の矢印で示すように、投入部１３から識別部１８へ紙幣ＢＮを搬送する。識別部１８は、紙幣ＢＮの識別を行う。
【００６２】
搬送部３は、識別部１８を通過した紙幣ＢＮのうち、リジェクト券を、点線の矢印で示すように、リジェクト部１４に搬送する。リジェクト券は、リジェクト部１４に集積される。また、搬送部３は、帯封対象外の紙幣ＢＮを、一点鎖線の矢印で示すように、第１外部集積部１１又は第２外部集積部１２に搬送する。損券及び旧券等は、第１外部集積部１１又は第２外部集積部１２に集積される。
【００６３】
リジェクト部１４につながる搬送路１４１は、第１反転部２１よりも上流から分岐している。リジェクト券は、第１反転部２１も第２反転部２２も通らない。リジェクト券を速やかにリジェクト部１４に搬送することができる。また例えば、斜行や重送等の搬送異常紙幣や、折れや破れ等を有する状態の悪い紙幣を含むリジェクト券が、第１反転部２１、又は、第２反転部２２において詰まってしまうことを、未然に回避することができる。
【００６４】
同様に、第１外部集積部１１及び第２外部集積部１２につながる搬送路１１１、１２１も、第１反転部２１よりも上流から分岐している。帯封対象外の紙幣は、第１反転部２１も第２反転部２２も通らない。帯封対象外の紙幣ＢＮを速やかに、第１外部集積部１１又は第２外部集積部１２に搬送することができる。
【００６５】
搬送部３は、帯封対象の紙幣ＢＮを、実線の矢印で示すように、第１反転部２１に搬送する。紙幣ＢＮは、第１反転部２１の反転パス２１１、又は、バイパス２１２を通った後、実線の矢印で示すように、第２反転部２２に搬送される。第１反転部２１における紙幣ＢＮの反転についての詳細は、後述する。
【００６６】
紙幣ＢＮは、第２反転部２２の反転パス２２１、又は、バイパス２２２を通る。第２反転部２２における紙幣の反転についての詳細も、後述する。第２反転部２２を通過した紙幣ＢＮは、実線の矢印で示すように、金種毎に、第１〜第５集積部５１〜５５に搬送される。ここで、一万円の新券かつ正券は、第１集積部５１及び第２集積部５２の一方に搬送される。具体的には、帯封枚数（例えば１００枚）に至るまでは、二つの集積部５１、５２の内の一方の集積部に紙幣ＢＮが集積される。一方の集積部に帯封枚数の紙幣ＢＮが集積されると、他方の集積部における紙幣ＢＮの集積が開始する。帯封枚数に至った紙幣は、運搬部６が集積部から取り出して帯封部７へと運搬するが、第１集積部５１及び第２集積部５２の複数の集積部を用いると、紙幣ＢＮを集積部から取り出している間にも、もう一つの集積部に紙幣を集積することができる。紙幣ＢＮの分類処理を中断することなく、紙幣ＢＮの集積を継続することができるため、処理時間を短縮することができる。
【００６７】
第１〜第５集積部５１〜５５の内、いずれかの集積部において帯封枚数の紙幣ＢＮが集積されると、運搬部６が、集積部から紙幣ＢＮを取り出すと共に、取り出した紙幣ＢＮを、帯封部７へと運搬する（図４の二点鎖線の矢印参照）。帯封部７は、紙幣ＢＮの帯封を行い、帯封紙幣は、投出部１５を通じて、紙幣処理装置１の筐体１０から外に投出される。帯封紙幣の帯封紙には、紙幣ＢＮの表裏及び天地方向の向きが揃っている旨の情報を含む各種情報が、印字部７１によって印されている。
【００６８】
投入部１３に投入された紙幣ＢＮが全て紙幣処理装置１に取り込まれた後、帯封枚数に至らずに第１〜第５集積部５１〜５５に残った端数紙幣は、前述したように、操作者が、扉１０１を開けて、第１〜第５集積部５１〜５５から、手で取り出す。
【００６９】
次に、図６のフローチャートを参照しながら紙幣処理装置１の分類処理について説明をする。このフローチャートは、制御部４１が実行する処理の手順を例示しており、第１反転部２１及び第２反転部２２による紙幣ＢＮの反転処理を含んでいる。前述したように、この紙幣処理装置１は、帯封対象の紙幣ＢＮについて、表裏を揃えるだけでなく、天地方向の向きも揃えることができる。紙幣処理装置１は、この構成例においては、帯封対象の紙幣ＢＮがＡ方向となるように、紙幣ＢＮの表裏及び天地方向の向きを揃える。
【００７０】
先ずスタート後のステップＳ１において、紙幣処理装置１は、投入部１３に投入されている紙幣を繰り出す。続くステップＳ２において、識別部１８は、紙幣の識別を行う。ステップＳ３１において、紙幣ＢＮがリジェクト券であるか否かを判定する。リジェクト券でないときには、ステップＳ３２に進む。
【００７１】
ステップＳ３２では、制御部４１は、帯封対象の紙幣ＢＮであるか否かを判定する。帯封対象の紙幣ＢＮであるときには、紙幣ＢＮの方向に応じてステップＳ４１〜Ｓ４４に進む。つまり、紙幣ＢＮがＡ方向であるときにはステップＳ４１に進み、紙幣ＢＮがＢ方向であるときにはステップＳ４２に進み、紙幣ＢＮがＣ方向であるときにはステップＳ４３に進み、紙幣ＢＮがＤ方向であるときにはステップＳ４４に進む。
【００７２】
ステップＳ５１〜Ｓ５４は、第１反転部２１における反転動作に係る。ステップＳ４１に続くステップＳ５１においては、紙幣ＢＮを反転させる必要がないため、第１反転部２１は、紙幣ＢＮを通過させる（つまり、紙幣ＢＮは、バイパス２１２を通過する）。紙幣の方向はＡ方向のままである。ステップＳ４２に続くステップＳ５２において、第１反転部２１は、紙幣ＢＮを反転させる（つまり、紙幣ＢＮは、反転パス２１１を通過する）。これにより、紙幣ＢＮの表裏及び天地方向の向きの両方が反転し、紙幣の方向はＢ方向からＤ方向になる。ステップＳ４３に続くステップＳ５３において、第１反転部２１は、紙幣ＢＮを反転させる。これにより、紙幣ＢＮの方向はＣ方向からＡ方向になる。ステップＳ４４に続くステップＳ５４において、第１反転部２１は、紙幣ＢＮを通過させる。紙幣ＢＮの方向はＤ方向のままである。
【００７３】
ステップＳ６１〜６４は、第２反転部２２における反転動作に係る。ステップＳ５１に続くステップＳ６１においては、紙幣ＢＮを反転させる必要がないため、第２反転部２２は、紙幣ＢＮを通過させる（つまり、紙幣ＢＮは、バイパス２２２を通過する）。紙幣ＢＮの方向はＡ方向のままである。ステップＳ５２に続くステップＳ６２において、第２反転部２２は、紙幣ＢＮを反転させる（つまり、紙幣ＢＮは、反転パス２２１を通過する）。これにより、紙幣ＢＮの表裏及び左右方向の向きの両方が反転し、紙幣ＢＮの方向はＤ方向からＡ方向になる。ステップＳ５３に続くステップＳ６３において、第２反転部２２は、紙幣ＢＮを通過させる。これにより、紙幣ＢＮの方向はＡ方向のままになる。ステップＳ５４に続くステップＳ６４において、第２反転部２２は、紙幣ＢＮを反転させる。紙幣ＢＮの方向はＤ方向からＡ方向になる。
【００７４】
紙幣ＢＮの方向に応じて、第１反転部２１及び第２反転部２２において、選択的に、紙幣ＢＮの反転動作を行うことにより、第１反転部２１及び第２反転部２２を通過した紙幣ＢＮの表裏及び天地方向の向きを全て揃えることができる。
【００７５】
ステップＳ６１〜６４の後のステップＳ７において、制御部４１は、紙幣ＢＮを、金種に対応する第１〜第５集積部５１〜５５のいずれかに搬送する。そして、それぞれの集積部５１〜５５に集積された紙幣が帯封枚数に達すると、運搬部６によって紙幣ＢＮが集積部から取り出され、下方の帯封部７へ送り込まれる。ここで、帯封紙幣が生成され、帯封紙幣は、投出部１５から投出される。
【００７６】
ステップＳ３２において、紙幣ＢＮが帯封対象でなければ（つまり、損券、旧券、又は帯封対象外の金種等であれば）、ステップＳ８に進み、制御部４１は、当該紙幣ＢＮを、第１外部集積部１１又は第２外部集積部１２に搬送する。前述したように帯封対象外の紙幣は、第１反転部２１及び第２反転部２２を通らないで、第１外部集積部１１又は第２外部集積部１２に搬送される。従って、帯封対象外の紙幣ＢＮは、表裏も天地方向の向きも揃わない。
【００７７】
ステップＳ３１においてリジェクト券と識別されたとき、具体的には識別不能券、又は、搬送異常券と識別されたときには、ステップＳ９に進み、当該紙幣ＢＮをリジェクト部１４に搬送する。前述したようにリジェクト券は、第１反転部２１及び第２反転部２２を通らないで、リジェクト部１４に搬送される。従って、リジェクト部１４に集積する紙幣ＢＮは、表裏も天地方向の向きも揃わない。
【００７８】
ステップＳ１０において、制御部４１は、次の紙幣ＢＮが、投入部１３にあるか否か判定する。次の紙幣ＢＮが有ればステップＳ１に戻り、次の紙幣ＢＮが無ければ、フローを終了する。
【００７９】
以上説明したように、この紙幣処理装置１は、帯封する紙幣ＢＮの表裏及び天地方向の向きを揃えることができる。また、帯封をしない紙幣ＢＮを集積する第１外部集積部１１及び第２外部集積部１２につながる搬送路は、第１反転部２１及び第２反転部２２の上流から分岐するため、帯封をしない紙幣ＢＮの表裏及び天地方向の向きは揃えることができない。一方で、紙幣処理装置１は、帯封しない紙幣ＢＮを、速やかに第１外部集積部１１又は第２外部集積部１２に集積することができる。また、帯封しない紙幣ＢＮは、第１反転部２１及び第２反転部２２を通過しないため、紙幣ＢＮ類の詰まり等が発生するリスクを低減することができる。
【００８０】
尚、ここでは、帯封対象の紙幣ＢＮは常に、表裏及び天地方向の向きを、常に揃えている。これとは異なり、操作者が、紙幣ＢＮの表裏及び／又は天地方向の向きを揃えるか否かを設定可能にしてもよい。例えば図７に例示するように、紙幣処理装置１は、紙幣ＢＮの分類処理を開始する前に、紙幣ＢＮの揃えを設定するための画面Ｄ１を表示部１７に表示し、操作者が適宜、設定をしてもよい。図７の画面Ｄ１は、「表裏及び天地を揃える」ボタンと、「表裏のみを揃える」ボタンと、「表裏及び天地を揃えない」ボタンとを有している。操作者は、任意のボタンを一つ選択することができる。
【００８１】
操作者の選択に応じて、記憶部４２は、紙幣ＢＮの揃えに関する設定情報を記憶する。制御部４１は、記憶部４２が記憶する設定情報に基づいて、第１反転部２１の分岐爪、及び、第２反転部２２の分岐爪を動かす。紙幣ＢＮの表裏及び天地方向の向きを揃えるときは、前述したように、紙幣処理装置１は、第１反転部２１及び第２反転部２２の両方を用いて、紙幣ＢＮの反転を適宜、行う。紙幣ＢＮの表裏のみを揃えるときは、紙幣処理装置１は、例えば第１反転部２１のみを用いて、紙幣ＢＮの反転を適宜、行う。また、紙幣処理装置１は、第２反転部２２のみを用いて、紙幣ＢＮの反転を適宜、行うようにしてもよい。紙幣ＢＮの表裏及び天地方向の向きを揃えないときは、紙幣処理装置１は、第１反転部２１及び第２反転部２２による紙幣ＢＮの反転を行わない。これにより、紙幣ＢＮの表裏及び天地方向の向きを揃えること、紙幣ＢＮの表裏のみを揃えること、紙幣ＢＮの表裏及び天地方向の向きを揃えないこと、が切り替わる。
【００８２】
紙幣ＢＮの表裏及び／又は天地方向の向きを揃えないと、第１反転部２１及び第２反転部２２において紙幣ＢＮを反転させるときに紙幣ＢＮに負荷が加わることを回避することができる。紙幣ＢＮが傷んでしまうことを防止することができる。また、紙幣ＢＮの表裏及び／又は天地方向の向きを揃えない場合には搬送速度を速くすることによって、紙幣処理装置１の処理速度の向上を図ることができる。
【００８３】
印字部７１は、前述したように、帯封紙幣の帯封紙に、紙幣ＢＮの表裏及び天地方向の向きが揃っている旨の情報を印す。紙幣ＢＮの表裏及び／又は天地方向の向きを揃えるか否かを設定可能にした構成において、印字部７１は、帯封した紙幣ＢＮの表裏及び／又は天地方向の向きが揃っているときには、帯封紙にその旨を印す一方、帯封した紙幣ＢＮの表裏及び／又は天地方向の向きが揃っていないときには、帯封紙にその旨を印すようにしてもよい。こうすることで、操作者は、帯封紙幣の帯封紙を見れば、当該紙幣ＢＮの表裏及び／又は天地方向の向きが揃っているか否かを知ることができる。
【００８４】
（紙幣処理装置の分類処理の変形例）
ここで、従来の紙幣処理装置（つまり、紙幣整理機）においては、帯封紙幣を作成せずに、紙幣ＢＮの分類のみを行う場合、分類対象の紙幣ＢＮを、第１外部集積部及び第２外部集積部の、二つの外部集積部を用いて紙幣ＢＮの分類を行っていた。このため、従来の紙幣処理装置においては、１回の分類処理において、二種類の分類しか行うことができなかった。
【００８５】
これとは異なり、この紙幣処理装置１は、第１外部集積部１１及び第２外部集積部１２と、第１〜第５集積部５１〜５５との、合計七つの集積部を用いて、１回の分類処理において最大七種類の分類を行うことができるよう構成されている。少ないステップによって、紙幣ＢＮを多種類に分類することができる。
【００８６】
例えば金種混合で、正損、及び、新旧の計四種類に紙幣を分類する場合を考える。第１及び第２の二つの外部集積部のみを用いて紙幣の分類を行う従来の紙幣処理装置であれば、先ず紙幣を正損に分類し（第１のステップ）、その後、正券を新旧に分類し（第２のステップ）、さらに損券を新旧に分類（第３のステップ）することになる。従って、三回の分類処理を行う必要がある。
【００８７】
これに対し、前記構成の紙幣処理装置１は、第１外部集積部１１及び第２外部集積部１２と、第１〜第５集積部５１〜５５との七つの集積部を用いて紙幣ＢＮの分類を行うため、１回のステップで、正券の新券、正券の旧券、損券の新券、及び損券の旧券の四種類に、紙幣ＢＮを分類することができる。
【００８８】
また、別の分類例として、一万、五千、二千、及び千円の四金種の紙幣ＢＮを新旧に分類する場合を考える。尚、二千円は新券のみである。
【００８９】
この場合、第１外部集積部及び第２外部集積部のみを用いて紙幣の分類を行う従来の紙幣処理装置であれば、先ず、紙幣を一万円と、その他の金種（つまり、五千、二千、及び千）とに分類し（第１のステップ）、分類した一万円を新券と旧券とに分類する（第２のステップ）。次に、紙幣を五千円と、その他の金種（つまり、二千、及び千）とに分類し（第３のステップ）、分類した五千円を新券と旧券とに分類する（第４のステップ）。さらに、紙幣を千円と二千円とに分類し（第５のステップ）、分類した千円を新券と旧券とに分類する（第６のステップ）ことになる。従って、六回の分類処理を行う必要がある。
【００９０】
これに対し、第１外部集積部１１及び第２外部集積部１２と、第１〜第５集積部５１〜５５との七つの集積部を用いて紙幣の分類を行う前記構成の紙幣処理装置１は、１回のステップで、一万円の新券、一万円の旧券、五千円の新券、五千円の旧券、二千円（新券）、千円の新券、及び、千円の旧券の七種類に分類することができる。
【００９１】
尚、第１〜第５集積部５１〜５５を、紙幣ＢＮの分類にのみ用いるときには、分類処理が終了した後に、扉１０１を開けて紙幣処理装置１の内部を開放することにより、第１〜第５集積部５１〜５５に集積している紙幣ＢＮを、操作者が手で取り出すようにしてもよい。
【００９２】
また、第１〜第５集積部５１〜５５に集積した紙幣ＢＮが、帯封枚数に至ったときには、運搬部６が、第１〜第５集積部５１〜５５に集積した紙幣を、帯封部７に運搬し、帯封部７が帯封を行った上で、帯封紙幣を、投出部１５を通じて、筐体１０の外に払い出してもよい。
【００９３】
さらに、運搬部６が、第１〜第５集積部５１〜５５に集積した紙幣ＢＮを、帯封部７に運搬し、帯封を行わずに、投出部１５を通じて、筐体１０の外に払い出してもよい。
【００９４】
（紙幣処理装置の別の構成例）
図８は、紙幣処理装置の別の構成例を示している。この紙幣処理装置１００は、図１に示す紙幣処理装置１と同様に、紙幣ＢＮを識別及び計数し、種類別に分類をした上で、所定枚数毎の帯封紙幣を作成する装置である。紙幣処理装置１００は、第１外部集積部１１、第２外部集積部１２、投入部１３、リジェクト部１４、投出部１５、表示部１７、識別部１８、第１反転部２１、第２反転部２２、搬送部３、制御部４１、記憶部４２、第１〜第５集積部５１〜５５、運搬部６、及び、帯封部７を備えている。紙幣処理装置１００において、図１に示す紙幣処理装置１と同じ構成要素について同じ符号を付して、その詳細な説明を省略する場合がある。紙幣処理装置１００は、主に、第１反転部２１の配置が、紙幣処理装置１とは相違する。
【００９５】
リジェクト部１４につながる搬送路１４１は、紙幣ＢＮの搬送方向について識別部１８の下流から分岐している。第１外部集積部１１及び第２外部集積部１２につながる搬送路１２０は、第１反転部２１と第２反転部２２との間から分岐している。
【００９６】
第２反転部２２は、識別部１８及び第１反転部２１の下側に配設されている。紙幣ＢＮは、第２反転部２２を、紙幣処理装置１００の後方から前方に向かう略水平方向に通過する。第２反転部２２もまたユニット化している。図８に一点鎖線で示すように、操作者は手で、第２反転部２２のユニットを、筐体１０の前方に引き出すことができる。
【００９７】
この紙幣処理装置１００においては、前述の通り、リジェクト部１４につながる搬送路１４１は、第１反転部２１よりも上流から分岐している。リジェクト券は、第１反転部２１も第２反転部２２も通らない。これにより、リジェクト券が、第１反転部２１及び第２反転部２２において詰まってしまうことを未然に回避することができる。また、リジェクト券を、速やかにリジェクト部１４に搬送することができる。
【００９８】
また、第１外部集積部１１及び第２外部集積部１２に集積する紙幣は、第１反転部２１を通過する一方、第２反転部２２は通過しない。従って、第１外部集積部１１及び第２外部集積部１２に集積する紙幣ＢＮの表裏を揃えることができるものの、表裏及び天地方向の向きの両方を揃えることはできない。
【００９９】
第１〜第５集積部５１〜５５に搬送される帯封対象の紙幣ＢＮは、第１反転部２１及び第２反転部２２の両方を通過する。そのため、紙幣処理装置１００は、帯封する紙幣ＢＮの表裏及び天地方向の向きの両方を揃えることができる。
【０１００】
図９は、図８に示す紙幣処理装置１００における分類処理のフローチャートを示している。このフローチャートは、制御部４１が実行する処理の手順を例示している。先ずスタート後のステップＳ２１において、紙幣処理装置１００は、投入部１３に投入されている紙幣ＢＮを繰り出す。続くステップＳ２２において、識別部１８は、紙幣ＢＮの識別を行う。ステップＳ２３１において、紙幣ＢＮがリジェクト券であるか否かを判定する。リジェクト券でないときにはステップＳ２３２に進む。
【０１０１】
ステップＳ２３２において、制御部４１は、帯封対象の紙幣ＢＮであるか否かを判定する。帯封対象の紙幣ＢＮであるときには、紙幣ＢＮの方向に応じてステップＳ２４１〜Ｓ２４４に進む。つまり、紙幣ＢＮがＡ方向であるときにはステップＳ２４１に進み、紙幣ＢＮがＢ方向であるときにはステップＳ２４２に進み、紙幣ＢＮがＣ方向であるときにはステップＳ２４３に進み、紙幣ＢＮがＤ方向であるときにはステップＳ２４４に進む。
【０１０２】
紙幣処理装置１００は、この構成例においては、帯封対象の紙幣ＢＮがＡ方向となるように、第１反転部２１及び第２反転部２２によって、紙幣ＢＮの表裏及び天地方向の向きを揃える。ステップＳ２５１〜Ｓ２５４は、第１反転部２１における反転動作に係る。ステップＳ２４１に続くステップＳ２５１において、第１反転部２１は紙幣ＢＮを通過させる。紙幣ＢＮの方向はＡ方向のままである。ステップＳ２４２に続くステップＳ２５２において、第１反転部２１は、紙幣ＢＮを反転させる。これにより、紙幣ＢＮの方向はＢ方向からＤ方向になる。ステップＳ２４３に続くステップＳ２５３において、第１反転部２１は、紙幣ＢＮを反転させる。これにより、紙幣ＢＮの方向はＣ方向からＡ方向になる。ステップＳ２４４に続くステップＳ２５４において、第１反転部２１は、紙幣ＢＮを通過させる。紙幣ＢＮの方向はＤ方向のままである。
【０１０３】
ステップＳ２６１〜Ｓ２６４は、第２反転部２２における反転動作に係る。ステップＳ２５１に続くステップＳ２６１において、第２反転部２２は、紙幣ＢＮを通過させる。紙幣の方向はＡ方向のままである。ステップＳ２５２に続くステップＳ２６２において、第２反転部２２は、紙幣ＢＮを反転させる。これにより、紙幣ＢＮの方向はＤ方向からＡ方向になる。ステップＳ２５３に続くステップＳ２６３において、第２反転部２２は、紙幣ＢＮを通過させる。これにより、紙幣ＢＮの方向はＡ方向のままになる。ステップＳ２５４に続くステップＳ２６４において、第２反転部２２は、紙幣ＢＮを反転させる。紙幣ＢＮの方向はＤ方向からＡ方向になる。
【０１０４】
こうして、紙幣処理装置１００は、紙幣ＢＮの方向に応じて、第１反転部２１及び第２反転部２２において紙幣ＢＮの反転動作を、選択的に行うことにより、帯封対象の紙幣ＢＮの表裏及び天地方向の向きを全て揃えることができる。
【０１０５】
ステップＳ２６１〜Ｓ２６４の後のステップＳ２１０において、制御部４１は、紙幣ＢＮを、金種に対応する第１〜第５集積部５１〜５５のいずれかに搬送する。そして、それぞれの集積部５１〜５５に集積された紙幣が帯封枚数に達すると、運搬部６によって紙幣ＢＮが集積部から取り出され、下方の帯封部７へ送り込まれる。ここで、帯封紙幣が生成され、帯封紙幣は、投出部１５から投出される。
【０１０６】
一方、ステップＳ２３２において、帯封対象の紙幣ＢＮでないときには（つまり、損券、旧券、又は、対象外金種券のときには）、紙幣ＢＮの方向に応じてステップ２８１〜Ｓ２８４に進む。つまり、紙幣ＢＮがＡ方向であるときにはステップＳ２８１に進み、紙幣ＢＮがＢ方向であるときにはステップＳ２８２に進み、紙幣ＢＮがＣ方向であるときにはステップＳ２８３に進み、紙幣ＢＮがＤ方向であるときにはステップＳ２８４に進む。
【０１０７】
ステップＳ２９１〜Ｓ２９４は、第１反転部２１における反転動作に係る。ステップＳ２８１に続くステップＳ２９１において、第１反転部２１は、紙幣ＢＮを通過させる。紙幣ＢＮの方向はＡ方向のままである。ステップＳ２８２に続くステップＳ２９２において、第１反転部２１は、紙幣ＢＮを通過させる。紙幣ＢＮの方向はＢ方向のままである。ステップＳ２８３に続くステップＳ２９３において、第１反転部２１は、紙幣ＢＮを反転させる。これにより、紙幣ＢＮの方向はＣ方向からＡ方向になる。ステップＳ２８４に続くステップＳ２９４において、第１反転部２１は、紙幣ＢＮを反転させる。紙幣ＢＮの方向はＤ方向からＢ方向になる。こうして紙幣処理装置１００は、紙幣ＢＮの方向に応じて、第１反転部２１において紙幣ＢＮを反転することにより、帯封対象外の紙幣ＢＮの表裏を揃えることができる。
【０１０８】
ステップＳ２９１〜Ｓ２９４の後のステップＳ２１１において、制御部４１は、紙幣ＢＮを、第１外部集積部１１又は第２外部集積部１２に搬送する。
【０１０９】
ステップＳ２３１においてリジェクト券と識別されたときには、ステップＳ２１２に進み、制御部４１は、当該紙幣ＢＮをリジェクト部１４に搬送する。前述したように、リジェクト券は、第１反転部２１を通過しないと共に、第２反転部２２も通過しない。従って、リジェクト部１４に集積する紙幣ＢＮは、表裏も天地方向の向きも揃わない。
【０１１０】
ステップＳ２１３において、制御部４１は、次の紙幣ＢＮが、投入部１３にあるか否か判定し、次の紙幣ＢＮがあればステップＳ２１に戻り、次の紙幣ＢＮが無ければ、フローを終了する。
【０１１１】
以上説明したように、この紙幣処理装置１００は、帯封する紙幣ＢＮの表裏及び天地方向の向きを揃えることができる。また、帯封をしない紙幣ＢＮを集積する第１外部集積部１１及び第２外部集積部１２につながる搬送路１２０が、第１反転部２１と第２反転部２２との間から分岐するため、帯封をしない紙幣ＢＮの表裏を（第１反転部２１によって）揃えることができる。帯封をしない紙幣ＢＮは、第２反転部２２を通過しないため、速やかに第１外部集積部１１又は第２外部集積部１２に集積することができる。また、帯封しない紙幣ＢＮは、第２反転部２２を通過しないため、紙幣ＢＮの詰まり等が発生するリスクを低減することができる。
【０１１２】
尚、前記の紙幣処理装置１及び紙幣処理装置１００においては、紙幣ＢＮの搬送方向について、第１反転部２１を第２反転部２２よりも上流に配置しているが、第１反転部２１と第２反転部２２との配置を入れ替えることによって、第２反転部２２を第１反転部２１よりも上流に配置してもよい。
【０１１３】
また、前記の紙幣処理装置１及び紙幣処理装置１００においては、第２反転部２２の反転機構２２４を、紙幣ＢＮを第２軸（図１０参照）回りに回転させることによって、紙幣ＢＮの搬送幅方向の向きを反転するよう構成している。これとは異なり、第２反転部２２の反転機構２２４を、紙幣ＢＮの搬送方向に直交すると共に、紙幣ＢＮの紙面に直交する第３軸（図１０参照）回りに、紙幣ＢＮを回転させることによって、紙幣ＢＮの搬送幅方向の向きを反転するよう構成してもよい。この方式の反転機構は、紙幣ＢＮの搬送方向の向きと搬送幅方向の向きとの両方を反転することができる。つまり、紙幣ＢＮの天地方向と左右方向とが反転する。
【０１１４】
また、第１反転部２１の方式を、第３軸回りに紙幣ＢＮを回転することにより、紙幣ＢＮの搬送幅方向の向きを反転する方式に変更してもよい。
【０１１５】
尚、第３軸回りに紙幣ＢＮを回転する方式の反転部は、公知の様々な構成を採用することができる。
【０１１６】
紙幣処理装置は、紙幣ＢＮを長手の縁を前にして搬送する、いわゆる短手搬送に構成することに限らず、図１１に示すように、紙幣ＢＮを短手の縁を前にして搬送する、いわゆる長手搬送に構成することも可能である。長手搬送において第１反転部２１は、紙幣ＢＮの搬送方向に直交すると共に、紙幣ＢＮの紙面に沿った第１軸回りに、紙幣ＢＮを回転させる方式に構成してもよい。この場合、第１反転部２１は、紙幣ＢＮの表裏を反転すると共に、紙幣ＢＮの搬送方向の前端と後端とを入れ替えることができる。紙幣ＢＮは、表裏及び左右方向の向きが反転する。
【０１１７】
長手搬送において第１反転部２１は、図１１に示すように、紙幣ＢＮの搬送方向に沿って伸びる第２軸回りに、紙幣ＢＮを回転させる方式に構成してもよい。この場合、第１反転部２１は、紙幣ＢＮの表裏及び搬送幅方向の向きを反転することができる。紙幣ＢＮは、表裏及び天地方向の向きが反転する。
【０１１８】
長手搬送において第１反転部２１は、図１１に示すように、紙幣ＢＮの搬送方向に直交すると共に、紙幣ＢＮの紙面に直交する第３軸回りに、紙幣ＢＮを回転させる方式に構成してもよい。この場合、第１反転部２１は、紙幣ＢＮの搬送幅方向の向きを反転すると共に、紙幣ＢＮの搬送方向の前端と後端とを入れ替えることができる。紙幣ＢＮは、天地方向の向き及び左右方向の向きが反転する。
【０１１９】
長手搬送において第２反転部２２も、前記と同様に、紙幣ＢＮを第１軸回りに回転させる方式に構成してもよいし、第２軸回りに回転させる方式に構成してもよいし、第３軸回りに回転させる方式に構成してもよい。但し、第１反転部２１と第２反転部２２とは、その方式を互いに異ならせる。そうすることによって、長手搬送を行う紙幣処理装置において、帯封する紙幣ＢＮの表裏及び天地方向の向きを全て揃えることができるようになる。
【０１２０】
尚、ここに開示する技術は、紙幣の処理を行う装置に限らず、小切手や商品券等の有価媒体を含む紙葉類を処理する装置に、広く適用することが可能である。
【０１２１】
また、前述した様々な構成は、適宜、組み合わせることが可能である。
【符号の説明】
【０１２２】
１  紙幣処理装置（紙葉類処理装置）
１００  紙幣処理装置（紙葉類処理装置）
１０  筐体
１１  第１外部集積部
１１１  搬送路
１２  第２外部集積部
１２０  搬送路
１２１  搬送路
１４  リジェクト部
１４１  搬送路
１８  識別部
２１  第１反転部
２２  第２反転部
３  搬送部
４２  記憶部
５１〜５５  第１〜第５集積部
７  帯封部
７１  印字部
【図１】
2018190344.tif 000003
【図２】
2018190344.tif 000004
【図３】
2018190344.tif 000005
【図４】
2018190344.tif 000006
【図５】
2018190344.tif 000007
【図６】
2018190344.tif 000008
【図７】
2018190344.tif 000009
【図８】
2018190344.tif 000010
【図９】
2018190344.tif 000011
【図１０】
2018190344.tif 000012
【図１１】
2018190344.tif 000013